(57)【要約】【課題】  トラップ内の汚れを目視により容易に確認してブラシなどの清掃具を用いてトラップ内を直接的に清掃することのできるＳ字トラップタイプの排水トラップ構造。【解決手段】  シンクの排水口に接続される本発明の排水トラップ構造（１）は、排水口からの排水を一時的に貯蔵するためのトラップ本体（２）と、トラップ本体に接続されてトラップ本体からの排水を設備排水管へ導くためのトラップ排水管（３）と、トラップ本体の入口部（２ａ）に着脱自在に取り付けられて、トラップ本体の内部にＳ字トラップの流路を形成するための流路形成部材（４；４ａ，４ｂ）とを備えている。【選択図】  図３
2006328824.tif 000002
【特許請求の範囲】
【請求項１】
シンクの排水口に接続される排水トラップ構造において、
前記排水口からの排水を一時的に貯蔵するためのトラップ本体と、
前記トラップ本体に接続されて前記トラップ本体からの排水を設備排水管へ導くためのトラップ排水管と、
前記トラップ本体の入口部に着脱自在に取り付けられて、前記トラップ本体の内部にＳ字トラップの流路を形成するための流路形成部材とを備えていることを特徴とする排水トラップ構造。
【請求項２】
前記流路形成部材は、前記トラップ本体の前記入口部に着脱自在に取り付けられて開口部を有する蓋部と、該蓋部から前記トラップ本体の内部に突出して、前記トラップ本体の所要の内部領域を前記開口部に連通する第１領域と前記接続口に連通する第２領域とに分離するための分離部材とを有することを特徴とする請求項１に記載の排水トラップ構造。
【請求項３】
前記トラップ本体は前記入口部が底部よりも手前側に位置するように前後方向に傾けて配置され、前記トラップ排水管は前記トラップ本体の奥側の側面に接続されていることを特徴とする請求項１または２に記載の排水トラップ構造。
【請求項４】
前記トラップ本体は有底円筒状の形態を有し、前記分離部材はプレート状の形態を有することを特徴とする請求項２または３に記載の排水トラップ構造。
【請求項５】
前記排水口と前記トラップ本体との間に設けられた連結部を備え、前記連結部には所定サイズ以上のゴミを捕捉するためのゴミ捕捉部材が着脱自在に取り付けられていることを特徴とする請求項１乃至４のいずれか１項に記載の排水トラップ構造。
【発明の詳細な説明】
【技術分野】
【０００１】
本発明は、排水トラップ構造に関し、例えばキッチンのシンクの排水口に接続される排水トラップ構造に関するものである。
【背景技術】
【０００２】
例えばキッチンのシンクの排水口には、配管からの臭気の立ち上がりを防ぐための排水トラップが接続されている。排水トラップは、シンクの下方のキャビネット内に配置される。この場合、排水トラップとして円筒型のベルトラップを採用すると、排水トラップがキャビネット内で占有するスペースが比較的大きくなり、キャビネット内の収納スペースが制限される。
【０００３】
そこで、キャビネット内の収納スペースを大きく確保するために、シンクの排水口に接続される排水トラップとしてＳ字トラップを採用する場合が多い（たとえば特許文献１を参照）。
【特許文献１】特開２００３−８８８２１号公報
【発明の開示】
【発明が解決しようとする課題】
【０００４】
しかしながら、シンクの排水口に接続される排水トラップとしてＳ字トラップを採用すると、トラップ内の汚れを目視により確認することが困難である。また、ブラシなどの清掃具を用いてトラップ内を直接的に清掃することも困難であり、適当な薬品を用いて間接的に清掃せざるを得ない。
【０００５】
本発明は、前述の課題に鑑みてなされたものであり、トラップ内の汚れを目視により容易に確認してブラシなどの清掃具を用いてトラップ内を直接的に清掃することのできるＳ字トラップタイプの排水トラップ構造を提供することを目的とする。
【課題を解決するための手段】
【０００６】
前記課題を解決するために、本発明では、シンクの排水口に接続される排水トラップ構造において、
前記排水口からの排水を一時的に貯蔵するためのトラップ本体と、
前記トラップ本体に接続されて前記トラップ本体からの排水を設備排水管へ導くためのトラップ排水管と、
前記トラップ本体の入口部に着脱自在に取り付けられて、前記トラップ本体の内部にＳ字トラップの流路を形成するための流路形成部材とを備えていることを特徴とする排水トラップ構造を提供する。
【０００７】
本発明の好ましい態様によれば、前記流路形成部材は、前記トラップ本体の前記入口部に着脱自在に取り付けられて開口部を有する蓋部と、該蓋部から前記トラップ本体の内部に突出して、前記トラップ本体の所要の内部領域を前記開口部に連通する第１領域と前記接続口に連通する第２領域とに分離するための分離部材とを有する。
【０００８】
また、本発明では、前記トラップ本体は前記入口部が底部よりも手前側に位置するように前後方向に傾けて配置され、前記トラップ排水管は前記トラップ本体の奥側の側面に接続されていることが好ましい。また、本発明では、前記トラップ本体は有底円筒状の形態を有し、前記分離部材はプレート状の形態を有することが好ましい。また、本発明では、前記排水口と前記トラップ本体との間に設けられた連結部を備え、前記連結部には所定サイズ以上のゴミを捕捉するためのゴミ捕捉部材が着脱自在に取り付けられていることが好ましい。
【発明の効果】
【０００９】
本発明では、シンクの排水口からの排水を一時的に貯蔵するためのトラップ本体にトラップ排水管を接続し、このトラップ排水管を介してトラップ本体からの排水を設備排水管へ導く。また、トラップ本体の入口部に流路形成部材を着脱自在に取り付けることにより、トラップ本体の内部にＳ字トラップの流路を形成する。
【００１０】
したがって、本発明では、トラップ本体の入口部から流路形成部材を取り外すという比較的単純な作業を行うだけで、トラップ本体の内部の汚れを目視により容易に確認することができる。また、トラップ本体の入口部から流路形成部材を取り外した状態で、ブラシなどの清掃具を用いてトラップ本体の内部を直接的に清掃することができる。換言すれば、流路形成部材を取り外すという比較的単純な作業を行うだけで、トラップ本体の内部の直接的な清掃が可能になる。
【００１１】
さらに、トラップ本体の入口部から流路形成部材を取り外した状態で、例えば先端に洗浄ノズルを有するホースを排水口からトラップ排水管を介して設備排水管まで差し込み、洗浄ノズルから噴射される高圧水の作用により設備排水管を洗浄することができる。換言すれば、流路形成部材を取り外すという比較的単純な作業を行うだけで、設備排水管の高圧洗浄が可能になる。
【００１２】
なお、本発明では、トラップ本体の入口部に着脱自在に取り付けられて開口部を有する蓋部と、蓋部からトラップ本体の内部に突出する分離部材とにより流路形成部材を構成することが好ましい。この場合、トラップ排水管とトラップ本体との接続口の最も低い位置よりも上にあるトラップ本体の所要の内部領域が、分離部材により開口部に連通する第１領域と接続口に連通する第２領域とに分離されることになり、比較的簡素な構成にしたがってトラップ本体の内部にＳ字トラップの流路を形成することができる。
【００１３】
また、本発明では、入口部が底部よりも手前側に位置するようにトラップ本体を前後方向に傾けて配置し、トラップ本体の奥側の側面にトラップ排水管を接続することが好ましい。この構成により、シンク下方のキャビネット内の有効な収納スペースが排水トラップ構造により制限されにくい構成を実現することができ、ひいてはキャビネット内の収納効率を高めることができる。
【００１４】
また、本発明では、トラップ本体が有底円筒状で、分離部材がプレート状であることが好ましい。この場合、トラップ本体の入口部への流路形成部材の着脱自在な取付けについて様々な方式が可能になる。
【発明を実施するための最良の形態】
【００１５】
本発明の実施形態を、添付図面に基づいて説明する。図１は、本発明の実施形態にかかる排水トラップ構造が適用されたキッチンの構成を概略的に示す斜視図である。図２は、図１の線Ａに沿った横断面図である。本実施形態では、キッチンのシンクの排水口に接続されるＳ字トラップタイプの排水トラップ構造に対して本発明を適用している。
【００１６】
図１を参照すると、本実施形態のキッチンは、床Ｆの上に載置されたベースキャビネットＢＣを備えている。ベースキャビネットＢＣの上部には、キッチンに向かって左側から加熱調理部（ガスコンロ、ＩＨコンロなど）１１と、一対のカウンタ１２ａおよび１２ｂとが設けられ、この一対のカウンタ１２ａと１２ｂとの間にはシンク１３が設けられている。また、シンク１３に隣接して、たとえば湯水混合型の水栓１４が設けられている。ベースキャビネットＢＣは、４つのキャビネット１５〜１８を備えている。
【００１７】
すなわち、加熱調理部１１の下方にはキャビネット１５が、加熱調理部１１とシンク１３との間のカウンタ１２ａの下方にはキャビネット１６が、シンク１３の下方にはシンクキャビネット１７が、シンク１３よりも端部側のカウンタ１２ｂの下方にはキャビネット１８がそれぞれ設けられている。本実施形態にかかるＳ字トラップタイプの排水トラップ構造１は、図２に示すように、シンクキャビネット１７の内部において、シンク１３の排水口１３ａに接続されている。
【００１８】
図３は、本実施形態にかかる排水トラップ構造の構成を概略的に示す図である。図４は、本実施形態にかかる排水トラップ構造における流路形成部材の取付け状態（ａ）および取外し状態（ｂ）をそれぞれ示す図である。図３および図４を参照すると、本実施形態の排水トラップ構造１は、シンク１３の排水口１３ａからの排水を一時的に貯蔵するためのトラップ本体２と、トラップ本体２に接続されてトラップ本体２からの排水を設備排水管（不図示）へ導くためのトラップ排水管３とを備えている。
【００１９】
トラップ本体２は、有底円筒状の形態を有し、その入口部２ａが底部２ｂよりも手前側に位置するように前後方向に傾けて配置されている。トラップ排水管３は、通常の円筒断面を有し、トラップ本体２の奥側の側面に接続されている。また、本実施形態の排水トラップ構造１は、トラップ本体２の入口部２ａに着脱自在に取り付けられて、トラップ本体２の内部にＳ字トラップの流路を形成するための流路形成部材４を備えている。
【００２０】
具体的に、流路形成部材４は、トラップ本体２の入口部２ａに着脱自在に取り付けられる蓋部４ａと、蓋部４ａからトラップ本体２の内部へ突出するように設けられた分離部材４ｂとにより一体的に構成されている。蓋部４ａは、トラップ本体２の円形状の入口部２ａに対応した円形状の外周形状を有し、例えば差込方式により入口部２ａに着脱自在に取り付けられるように構成されている。
【００２１】
分離部材４ｂは、プレート状の形態を有し、蓋部４ａをほぼ２等分する線に沿って配置されている。そして、プレート状の分離部材４ｂによりほぼ２等分される蓋部４ａの一方の領域に４つ目状の開口部４ａａが形成されている。したがって、分離部材４ｂは、蓋部４ａ（ひいては流路形成部材４）がトラップ本体２の入口部２ａに取り付けられた状態で、トラップ本体２の内部領域の上側部分を２つの領域にほぼ等分割する。
【００２２】
さらに詳細には、分離部材４ｂは、トラップ本体２の入口部２ａへの取付け状態において、少なくともトラップ排水管３とトラップ本体２との接続口３ａの最も低い位置（図３において参照符号Ｈ１で示す）よりも上にあるトラップ本体２の内部領域を、開口部４ａａに連通する第１領域２ｃと接続口３ａに連通する第２領域２ｄとに分離する。言い換えれば、分離部材４ｂは、トラップ排水管３とトラップ本体２との接続口３ａの最も低い位置Ｈ１よりも下方まで延びている。
【００２３】
このとき、開口部４ａａに連通する第１領域２ｃが接続口３ａに連通する第２領域２ｄよりも手前側になるように蓋部４ａをトラップ本体２の入口部２ａへ差し込むことにより、蓋部４ａの開口部４ａａから第１領域２ｃ、第２領域２ｄ、および接続口３ａを介してトラップ排水管３の内部へ至る経路が、Ｓ字トラップの流路を形成することになる。なお、分離部材４ｂの差込動作を容易にするためにトラップ本体２の内側面に一対の案内溝を形成したり、トラップ本体２の内側面に接する分離部材４ｂの当接部分に可撓性部材を取り付けて第１領域２ｃと第２領域２ｄとの間の気密性を高めたりすることが好ましい。
【００２４】
また、本実施形態の排水トラップ構造１は、シンク１３の排水口１３ａとトラップ本体２との間に設けられた連結部５を備えている。連結部５は、全体的に半球面状の形態を有し、その真上側の大きな円形状の開口部がシンク１３の排水口１３ａに接続され、奥下側の小さな円形状の開口部がトラップ本体２の入口部２ａに一体的に連結されている。
【００２５】
連結部５の真上側の大きな円形状の開口部には、下側から順に、網カゴ２１および排水口プレート２２がそれぞれ着脱自在に取り付けられる。網カゴ２１は、連結部５に対応するようにほぼ半球面状の形態を有し、所定サイズ以上のゴミを捕捉するためのゴミ捕捉部材を構成している。排水口プレート２２は、円形プレート状の形態を有し、中央にスリット状の開口部２２ａが形成されている。
【００２６】
以上のように、本実施形態では、シンク１３の排水口１３ａからの排水を一時的に貯蔵するためのトラップ本体２にトラップ排水管３を接続し、このトラップ排水管３を介してトラップ本体２からの排水を設備排水管へ導いている。また、トラップ本体２の入口部２ａに流路形成部材４を着脱自在に取り付けることにより、トラップ本体２の内部にＳ字トラップの流路を形成している。
【００２７】
したがって、本実施形態では、トラップ本体２の入口部２ａから流路形成部材４（ひいてはその蓋部４ａ）を取り外すという比較的単純な作業を行うだけで、トラップ本体２の内部の汚れを（場合によってはトラップ排水管３の内部の汚れも）目視により容易に確認することができる。また、本実施形態では、トラップ本体２の入口部２ａから流路形成部材４を取り外した状態（図４（ｂ）に示す状態）で、ブラシなどの清掃具を用いてトラップ本体２の内部を（さらに必要に応じてトラップ排水管３の内部を）直接的に清掃することができる。
【００２８】
さらに、本実施形態では、トラップ本体２の入口部２ａから流路形成部材４を取り外した状態で、例えば先端に洗浄ノズル（不図示）を有するホース（不図示）を排水口１３ａからトラップ本体２の入口部２ａ、接続口３ａ、およびトラップ排水管３を介して設備排水管（不図示）まで差し込み、洗浄ノズルから噴射される高圧水の作用により設備排水管を高圧洗浄することができる。
【００２９】
また、本実施形態では、トラップ本体２の入口部２ａに着脱自在に取り付けられて開口部４ａａを有する蓋部４ａと、蓋部４ａからトラップ本体２の内部に突出する分離部材４ｂとにより流路形成部材４が構成されているので、トラップ本体２の所要の内部領域が分離部材４ｂにより開口部３ａに連通する第１領域２ｃと接続口３ａに連通する第２領域２ｄとに分離されることになり、比較的簡素な構成にしたがってトラップ本体２の内部にＳ字トラップの流路を形成することができる。
【００３０】
また、本実施形態では、入口部２ａが底部２ｂよりも手前側に位置するようにトラップ本体２を前後方向に傾けて配置し、トラップ本体２の奥側の側面にトラップ排水管３を接続しているので、図２に示すように、シンク１３の下方に設けられたシンクキャビネット１７内の有効な収納スペースが排水トラップ構造１により制限されにくい構成が実現され、ひいてはシンクキャビネット１７内において高い収納効率が得られる。
【００３１】
また、本実施形態では、トラップ本体２が有底円筒状に形成され、且つ流路形成部材４の分離部材４ｂがプレート状に形成されているので、トラップ本体２の入口部２ａへの流路形成部材４の着脱自在な取付けについて、上述した差込方式以外にも、例えばねじ込み方式などを含む様々な方式が可能になる。また、本実施形態では、流路形成部材４を構成する蓋部４ａと分離部材４ｂとが一体的に形成されているが、これに限定されることなく、蓋部４ａと分離部材４ｂとを別の部材として形成することもできる。特に、例えばねじ込み方式を採用する場合、トラップ本体２の入口部２ａへ蓋部４ａをねじ込んだ後に、蓋部４ａを通してトラップ本体２の内部へ別部材の分離部材４ｂを差し込んで取り付ける方法も可能である。
【００３２】
なお、上述の実施形態では、トラップ本体が有底円筒状に形成され且つ前後方向に傾けて配置されているが、これに限定されることなく、トラップ本体の形状、姿勢などについては本発明の範囲内において様々な変形例が可能である。
【００３３】
また、上述の実施形態では、流路形成部材が円形外周を有する蓋部とプレート状の分離部材とにより形成されているが、これに限定されることなく、流路形成部材の形態などについては本発明の範囲内において様々な変形例が可能である。
【００３４】
また、上述の実施形態では、キッチンのシンクの排水口に接続される排水トラップ構造に対して本発明を適用しているが、キッチンに限定されることなく、一般にシンクの排水口に接続される排水トラップ構造に対しても同様に本発明を適用することができる。
【図面の簡単な説明】
【００３５】
【図１】本発明の実施形態にかかる排水トラップ構造が適用されたキッチンの構成を概略的に示す斜視図である。
【図２】図１の線Ａに沿った横断面図である。
【図３】本実施形態にかかる排水トラップ構造の構成を概略的に示す図である。
【図４】本実施形態にかかる排水トラップ構造における流路形成部材の取付け状態（ａ）、および取外し状態（ｂ）をそれぞれ示す図である。
【符号の説明】
【００３６】
１  排水トラップ構造
２  トラップ本体
２ａ  トラップ本体の入口部
３  トラップ排水管
４  流路形成部材
４ａ  蓋部
４ｂ  分離部材
５  連結部
２１  網カゴ
２２  排水口プレート
ＢＣ  ベースキャビネット
１１  加熱調理部
１２  カウンタ
１３  シンク
１３ａ  シンクの排水口
１４  水栓
１５〜１８  キャビネット
【図１】
2006328824.tif 000003
【図２】
2006328824.tif 000004
【図３】
2006328824.tif 000005
【図４】
2006328824.tif 000006